(57)【要約】【課題】  省スペースであり、かつ、メンテナンス性のよい袋詰め装置を安価に提供することにある。【解決手段】  袋保持台３のトレー３２を設置面に対して所定角度傾斜させておき、そこに包装袋４を取り付け、装置本体２１の上部に包装体４の開口部４４に向けて空気を導く風向板２４を回動可能に設ける。【選択図】  図２
2006240714.tif 000002
【特許請求の範囲】
【請求項１】
送風手段を有する装置本体と、袋状の包装体を束として保持する袋保持台とを有し、上記装置本体に設けられた送風口から上記袋保持台上の包装体に向けて空気を送り込み、上記包装体の開口部を強制的に開かせる袋詰め装置において、
上記装置本体には、包装体の開口部に向けて空気を導く風向板が上記袋保持台上の包装体の束厚みに追従して回動可能に設けられていることを特徴とする袋詰め装置。
【請求項２】
上記風向板は上記装置本体に、その重心が上記袋保持台側に存在するようにヒンジ部を介して回動可能に設けられていることを特徴とする請求項１に記載の袋詰め装置。
【請求項３】
上記風向板は、上記送風口から送風される空気を上記包装体の開口部に導く舌片状のガイド板と、上記ガイド板の両端で上記袋保持台側に向けてほぼ直角に折り曲げられた左右一対の側板とを有し、上記側板により上記ガイド板と上記包装体との間隔がほぼ一定に保たれることを特徴とする請求項１または２に記載の袋詰め装置。
【請求項４】
上記袋保持台は、上記装置本体に対して着脱可能に設けられていることを特徴とする請求項１，２または３に記載の袋詰め装置。
【請求項５】
上記袋保持台は、上記包装体が所定角度傾斜した状態でセットされるトレーを有し、上記トレーは、被設置面に対する傾斜角θが４０°＜θ＜８０°であることを特徴とする請求項１〜４のいずれか１項に記載の袋詰め装置。
【発明の詳細な説明】
【技術分野】
【０００１】
本発明は、おにぎりなどの製品を袋状の包装体に袋詰めする際に用いられる袋詰め装置に関し、さらに詳しく言えば、コンパクトで持ち運びやすく、メンテナンス性もよい袋詰め装置に関する。
【背景技術】
【０００２】
例えばおにぎりやサンドウィッチなどは袋詰めされた状態で店頭に並べられている。袋詰め作業は一部では自動化されているが、小売店など小規模な場所では手作業で行われることが多い。とりわけ、その袋詰め作業において煩わしい作業は、袋の開口作業である。
【０００３】
そこで、例えば特許文献１に示すような袋詰め装置が提案されている。この袋詰め装置は、内部に送風手段が設けられた装置本体と、袋詰め用の包装体が取り付けられるトレーとを有し、トレーに載せられた袋の開口部に向かって吹出口から空気を吹き出すことで開口を強制的に開くようになっている。
【０００４】
これによれば、開口部に向かって空気をき付けることで、簡単に開口部を開いた状態で保持することができ、開いた開口部から被包装物を簡単に袋の中に投入することができる。しかしながら、従来の袋詰め装置には次のような問題があった。
【０００５】
すなわち、特許文献１に記載の袋詰め装置は、装置本体に対してトレーがほぼ水平な状態で取り付けられているため、その分、広い作業スペースが必要になる。また、開口部に対して水平方向から被包装物を差し入れるため、袋の奥まで入れにくいという欠点がある。
【０００６】
さらには、トレーが装置本体に対して一端側が常に上になるような回転モーメントが得られるように取り付けられているため、装置の構造や調整が複雑であるばかりでなく、トレーが装置本体に一体的に連結されているため、包装体をセットしにくいという問題もある。
【０００７】
【特許文献１】特開平７−１７５２２号公報
【発明の開示】
【発明が解決しようとする課題】
【０００８】
そこで、本発明は上述した課題を解決するためになされたものであって、その目的は省スペースであり、かつ、メンテナンス性のよい袋詰め装置を安価に提供することにある。
【課題を解決するための手段】
【０００９】
上述した目的を達成するため、本発明は以下に示すいくつかの特徴を備えている。請求項１に記載の発明は、送風手段を有する装置本体と、袋状の包装体を束として保持する袋保持台とを有し、上記装置本体に設けられた送風口から上記袋保持台上の包装体に向けて空気を送り込み、上記包装体の開口部を強制的に開かせる袋詰め装置において、上記装置本体には、包装体の開口部に向けて空気を導く風向板が上記袋保持台上の包装体の束厚みに追従して回動可能に設けられていることを特徴としている。
【００１０】
請求項２に記載の発明は、上記請求項１において、上記風向板は上記装置本体に、その重心が上記袋保持台側に存在するようにヒンジ部を介して回動可能に設けられていることを特徴としている。
【００１１】
請求項３に記載の発明は、上記請求項１または２において、上記風向板は、上記送風口から送風される空気を上記包装体の開口部に導く舌片状のガイド板と、上記ガイド板の両端で上記袋保持台側に向けてほぼ直角に折り曲げられた左右一対の側板とを有し、上記側板により上記ガイド板と上記包装体との間隔がほぼ一定に保たれることを特徴としている。
【００１２】
請求項４に記載の発明は、上記請求項１，２または３において、上記袋保持台は、上記装置本体に対して着脱可能に設けられていることを特徴としている。
【００１３】
請求項５に記載の発明は、上記請求項１〜４のいずれか１項において、上記袋保持台は、上記包装体が所定角度傾斜した状態でセットされるトレーを有し、上記トレーは、被設置面に対する傾斜角θが４０°＜θ＜８０°であることを特徴としている。
【発明の効果】
【００１４】
請求項１に記載の発明によれば、風向板が保持台上の包装体の束厚みに追従して回動可能であるため、袋保持台はある一定の傾きを持っていればよく、これにより、装置を簡素化することができるとともに、少ないスペースで設置することができる。
【００１５】
請求項２に記載の発明によれば、風向板の重心を袋保持台側に存在するように回動可能としたことにより、自重によって風向板が傾くため、構成を簡素化することができるばかりでなく、包装体の積層厚さに応じて風向板の位置を常に一定に保つことができる。
【００１６】
請求項３に記載の発明によれば、風向板を空気の流れを導くガイド板と、ガイド板の側端にほぼ垂直に設けられた側板とから構成したことにより、空気を確実に包装体に向けて送り出すことができる。また、ガイド板の下端部が包装体の表面に接触することで、包装体と風向板との距離を常に一定に保つことができる。
【００１７】
請求項４に記載の発明によれば、袋保持台を着脱可能としたことにより、包装体の取付作業が簡単になるだけでなく、袋保持台を交換することで様々なサイズの包装体に対応することができる。
【００１８】
請求項５に記載の発明によれば、トレーの傾斜角θを４０°＜θ＜８０°としたことにより、省スペースと袋詰め作業性を両立することができる。また、包装体の開口部に対して効果的に空気を吹き付けることができる。
【発明を実施するための最良の形態】
【００１９】
次に本発明の実施形態について図面を参照しながら説明する。なお、ここでの説明は本発明を限定するものではない。図１は本発明の一実施形態に係る袋詰め装置の分解斜視図であり、図２（ａ）および（ｂ）は、包装体を装着した状態での内部構造を模式的に示した正面図および側面図であり、図３は使用状態を示す斜視図である。
【００２０】
図１および図２を参照して、この袋詰め装置１は、内部に送風手段を有する装置本体２と、同装置本体２に対して着脱可能に取り付けられ、包装袋４を保持する袋保持台３とを備えている。この例において、装置本体２および袋保持台３はステンレスの成型品からなる。
【００２１】
装置本体２は、テーブルなどのほぼ水平な設置面に置かれるベース２１と、ベース２１の一端側（図２（ｂ）では右端側）から設置面に対してほぼ垂直に起立したケーシング２２とを有するＬ字型に形成されている。ベース２１およびケーシング２２の底面には設置用のゴム脚２３が例えば４カ所設けられている。
【００２２】
ベース２１には、ベース２１上に置かれる袋保持台３の位置出しを行う図示しないガイド手段が設けられていることが好ましい。そのガイド手段としてはベース２１側に設けられた凸部と、袋保持台３の脚板３１に設けられたガイド孔（ともに図示しない）との雌雄嵌合の組み合わせを例示することができる。
【００２３】
ケーシング２２は矩形状の箱体からなり、その内部には送風手段としてのファン（電動ファン）５が内蔵されている。この例において、ファン５は軸流ファン（シロッコファン）である。図１に示すように、ケーシング２２の正面側にはファン５の吸気口５１が設けられている。吸気口５１にはエアフィルタ５２が取り付けられている。エアフィルタ５２の種類は任意に選択できる。
【００２４】
ケーシング２２の内部にはさらに、上記ファン５を駆動するための図示しない制御部が内蔵されている。ケーシング２２の側面にはその制御部に接続され、ファン５のＯＮ／ＯＦＦを行うためのスイッチＳＷが設けられている。
【００２５】
この例において、ファン５はスイッチＳＷを操作することにより、ＯＮ／ＯＦＦ制御されるようになっているが、後述する送風口２３の付近に例えば赤外線センサーなどの感知手段を設けておき、作業者が手をかざすと自動的に送風を開始するようにしてもよい。なお、ファン５の駆動電源は商用電源が用いられるが、バッテリーが用いられてもよい。
【００２６】
ケーシング２２の正面上部（図２（ａ）参照）には、ファン５から送り出された空気を吹き出すための送風口２３と、同送風口２３より送り出された空気を所定の方向に向けてガイドする風向板２４とが設けられている。
【００２７】
送風口２３はケーシング２２の内部と外部とを連通する連通孔からなり、ケーシング２２の正面中央の上端側にこの例では矩形状に開口されている。送風口２３の形状および大きさは仕様に応じて任意に設定可能である。
【００２８】
特に図２（ｂ）に示すように、風向板２４は送風口２３を覆う大きさを有し、その一端側（図２（ｂ）では右端側）がケーシング２２の上端側にヒンジ部２５を介して回動可能に取り付けられている。
【００２９】
風向板２４は、その重心が袋保持台３側に存在するようにヒンジ部２５を介して回動可能に設けられている。これにより、風向板２４は自重で袋保持台３側に移動するため、簡単かつ確実に包装袋４に空気を吹き出すことができる。
【００３０】
なお、風向板２４はヒンジ部２５を介して片持ちで支持されているが、重心を袋保持台３側に移動できるケーシング２２の前方側に配置されていれば、その支持位置はとくに限定されない。また、風向板２４にバネなどを設けて強制的に押し付けてもよい。
【００３１】
風向板２４は１枚のステンレス板を折曲加工したものからなり、送風口２３からほぼ水平に送り出された空気を下方に向けて導くためのガイド板２４１と、同ガイド板２４１の両側面に形成された一対の側板２４２，２４２とを備えている。なお、風向板２４の材質は特に限定されず、樹脂製であってもよい。
【００３２】
この例において、ガイド板２４１は角度の異なる２つのガイド板メンバー２４１ａ，２４１ｂとからなる。すなわち、第１ガイド板メンバー２４１ａは一端がヒンジ部２５に連結され、他端が袋保持台３側に向かって延設されており、第２ガイド板メンバー３４１ｂは第１ガイド板メンバー２４１ａの他端側から袋保持台３側に向かってさらに延設された舌片状に形成されている。側板２４２は第１ガイド板メンバー２４１ａの両端に形成されている。
【００３３】
これにより、送風口２３から送り出された空気はガイド板２４１の内周面に沿って下側に強制的に導かれたのち、後述する袋保持台３に支持された包装袋４の開口部４４に向けて空気を吹き出すことができる。また、側板２４２，２４２があることにより、無駄な空気漏れを少なくすることができる。
【００３４】
次に、袋保持台３について説明する。袋保持台３は１枚の板体を折曲加工したものからなり、装置本体２のベース２１に沿って設置される水平なベース板３１と、同ベース板３１の一端から設置面に対して所定角度傾斜したトレー３２とを備えている。
【００３５】
この例において、袋保持台３は金属の一体成型品からなるが、合成樹脂製であってもよい。また、ベース板３１とトレー３２とは、それぞれ別部材としておき、後で一体的に組み立ててもよい。
【００３６】
トレー３２の傾斜角θは４０°＜θ＜８０°の範囲を満足するように形成されていることが好ましい。この例ではθ＝６０°。すなわち、傾斜角θが４０°よりも小さいとトレーが水平になりすぎ設置スペースが大きくなるおそれがある。逆に傾斜角θが８０°よりも大きいと、空気を開口部４４に向けて吹き付けにくくなるばかりでなく、袋の下側がトレーから離れたりするなど安定性に乏しくなり、作業性が悪くなるおそれがある。
【００３７】
トレー３２の上端には包装袋４を支持するための袋ホルダー３３が設けられている。袋ホルダー３３はトレー３２の中央上端に舌片状に形成されており、その両端には包装袋４のパンチ孔４５，４５に差し込まれる一対のリブ（もしくはピン）３４，３４が突設されている。
【００３８】
この例において、袋ホルダー３３はリブ３４，３４に包装袋４のパンチ孔４５，４５を差し込むことで保持する保持手段を備えているが、保持手段は特に限定されず、例えばクリップなど挟み込んで保持するようにしたものであってもよい。
【００３９】
図２（ａ），（ｂ）を参照して包装袋４について説明する。包装袋４は例えばポリエチレンなどの合成樹脂製フィルムを重ね合わせて、開口部４４を除く周縁を例えばヒートシールしてなる袋で、その多数枚が積層された束状としてトレー３２にセットされている。この例において、包装袋４はおにぎり６を包装するほぼ逆三角形状を呈している。
【００４０】
この包装袋４は、被包装物（おにぎり６）が収納される包装部４１と、各包装部４１を積層した状態で綴じておくための綴じ部４２とを備え、包装部４１と綴じ部４２との間には包装部４１を切り離すためのミシン目４３が設けられている。
【００４１】
包装部４１には、おにぎり６を中に入れるための開口部４４がミシン面４３寄りに形成されている。綴じ部４２には、包装袋４をホルダー３３のリブ３４，３４に引っ掛けるための一対のパンチ孔４５，４５が設けられている。
【００４２】
次に、図２（ａ），（ｂ）および図３を参照して、この袋詰め装置１の使用手順の一例について説明する。まず、袋保持台３を装置本体２から取り外し、そのホルダー３３に束とされた包装袋４の綴じ部４２を引っ掛けて、トレー３２に多数枚の包装袋４をセットする。
【００４３】
次に、風向板２４をヒンジ部２５を介して回転させて持ち上げ、袋保持台３のベース板３１を装置本体２のベース２１に載せたのち、風向板２４を元に戻す。このとき、風向板２４は、自重によってヒンジ部２５を介して袋保持台３側に回転し、風向板２４の側板２４２の下端部が綴じ部４２に当接することにより、第２ガイド板メンバー２４１ｂと開口部４４との距離が一定に保たれる。
【００４４】
セット完了後、作業者は装置本体２のスイッチＳＷをオンすることで、ファン５が駆動される。ファン５が駆動されると、吸気口５１から空気が吸い込まれ、ファン５を経て吹出口２３から空気が吹き出し始める。
【００４５】
吹出口２３を出た空気は、風向板２４のガイド板２４１の内周面に沿って下方に導かれたのち、包装袋４の開口部４４に吹き付けられる。これにより、図２（ｂ）に示すように、包装袋４の内部に空気が吹き込まれ、開口部４が強制的に開口される。
【００４６】
開口部４が開いた状態で、作業者はおにぎり６を開口部４４から袋の中に投入することにより、簡単に袋詰め作業を行うことができる。おにぎり６を投入したのち、作業者はおにぎり６の入った最上層の包装袋４をミシン目４３に沿って切り離し、商品ラベルなどで封口処理を行うことで、袋詰め作業が完了する。
【００４７】
上述した一連の袋詰め作業を連続して行うことで、簡単かつ短時間で包装袋４におにぎり６を袋詰めすることができる。なお、包装袋４が無くなった場合には、綴じ部４２の束をホルダー３３から除去し、再び新しい包装袋４の束をトレー３にセットすればよい。
【００４８】
上述した実施形態において、包装袋４はおにぎり６を袋詰めするためのものであるが、本発明の袋詰め装置は、これ以外にサンドウィッチや巻き寿司などの各種食料品のほか、文房具など包装袋４の開口部４４を開口させる目的で用いられるものであれば、用途は特に限定されない。
【図面の簡単な説明】
【００４９】
【図１】本発明の一実施形態に係る袋詰め装置の分解斜視図。
【図２】（ａ）は上記袋詰め装置に包装袋を取り付けた状態の正面図であり、（ｂ）はその側面図。
【図３】袋詰め装置の使用手順を説明するための説明図。
【符号の説明】
【００５０】
１  袋詰め装置
２  装置本体
２１  ベース
２２  ハウジング
２３  吹出口
２４  風向板
３  袋保持台
３１  ベース板
３２  トレー
３３  ホルダー
４  包装袋
５  ファン
５１  吸気口
５２  フィルタ
６  おにぎり（被包装物）
ＳＷ  スイッチ
【図１】
2006240714.tif 000003
【図２】
2006240714.tif 000004
【図３】
2006240714.tif 000005